(57)【要約】  【課題】  簡単な構成で容易にスピーカの故障を検査することのできる放送システムを提供する。  【解決手段】  放送システム１は、複数のスピーカ５０１、５０２と、管理装置３と、切替制御部と、故障判定部を備える。切替制御部は、複数のスピーカのうちの検査対象のスピーカ５０２にスピーカ動作を行わせるとともに、検査対象のスピーカ５０２の近傍の判定用のスピーカ５０１にマイク動作を行わせる。故障判定部は、検査対象のスピーカ５０２がスピーカ動作によって音を出力したときに判定用のスピーカ５０１がマイク動作によって生成する音信号に基づき、検査対象のスピーカ５０２が故障しているかどうかを判定する。【選択図】  図１
2006254115.tif 000002
【特許請求の範囲】
【請求項１】
複数のスピーカと、
前記複数のスピーカに音信号を出力させる管理装置と、
前記複数のスピーカの各々がスピーカ動作またはマイク動作を行うように各スピーカの動作モードを切り替える切替手段と、
前記複数のスピーカのうちの検査対象のスピーカにスピーカ動作を行わせるとともに、前記検査対象のスピーカの近傍の判定用のスピーカにマイク動作を行わせるように前記切替手段を制御する切替制御手段と、
前記検査対象のスピーカがスピーカ動作によって音を出力したときに前記判定用のスピーカがマイク動作によって生成する音信号に基づき、前記検査対象のスピーカが故障しているかどうかを判定する故障判定手段と、
を備えたことを特徴とする放送システム。
【請求項２】
前記複数のスピーカと前記管理装置は双方向通信手段で接続されており、
前記故障判定手段は、前記管理装置に備えられており、マイク動作を行った前記判定用のスピーカから前記管理装置に送られてきた音信号に基づいて前記検査対象のスピーカが故障しているかどうかを判定することを特徴とする請求項１に記載の放送システム。
【請求項３】
前記複数のスピーカと前記管理装置は双方向通信手段で接続されており、
前記故障判定手段は、前記スピーカ側に備えられており、
前記故障判定手段による判定結果のデータが前記双方向通信手段により前記管理装置へ送信されることを特徴とする請求項１に記載の放送システム。
【請求項４】
前記複数のスピーカのうちの各スピーカが検査対象になったときに判定用として使用する１または複数のスピーカを記憶する判定用スピーカ記憶手段を備え、
前記切替制御手段は、前記判定用スピーカ記憶手段に記憶された情報に従って前記切替手段を制御することを特徴とする請求項１ないし３のいずれかに記載の放送システム。
【請求項５】
前記判定用スピーカ記憶手段は、さらに、判定用のスピーカと対応付けて判定音量を記憶しており、前記故障判定手段は、前記判定用のスピーカが生成した音信号の音量と前記判定音量を比較することを特徴とする請求項４に記載の放送システム。
【請求項６】
音を出力する音出力ユニットと、
前記音出力手段の近傍に配置されており音信号を生成する音入力ユニットと、
前記音出力ユニットおよび前記音入力ユニットと接続された管理装置と、
前記音出力ユニットがスピーカ動作によって音を出力したときに前記音入力ユニットがマイク動作によって生成する音信号に基づき、前記音出力ユニットが故障しているかどうかを判定する故障判定手段と、
を備えたことを特徴とする放送システム。
【請求項７】
複数のスピーカが管理装置に接続された放送システムにおけるスピーカ故障検査方法であって、
前記複数のスピーカのうちの検査対象のスピーカにスピーカ動作を行わせるとともに、前記検査対象のスピーカの近傍の判定用のスピーカにマイク動作を行わせ、
前記検査対象のスピーカがスピーカ動作によって音を出力したときに前記判定用のスピーカがマイク動作によって生成する音信号に基づき、前記検査対象のスピーカが故障しているかどうかを判定する、
ことを特徴とするスピーカ故障検査方法。
【発明の詳細な説明】
【技術分野】
【０００１】
本発明は、スピーカの故障検査機能を備えた放送システムに関する。
【背景技術】
【０００２】
従来、建物などの放送システム（スピーカ拡声システム）は、複数のスピーカと、それらスピーカに接続された管理装置とを備えている。管理装置にはマイク等の音源が用意されている。そして、音信号が管理装置から各スピーカに送られ、出力される。
【０００３】
従来は、アナログ伝送式の放送システムが一般的である。アナログ放送システムでは、複数の系統にそれぞれ対応する複数のスピーカ線が、管理装置に接続されている。例えば、建物のフロア毎にスピーカ線が設置される。そして、各スピーカ線に複数のスピーカが取り付けられている。管理装置は、複数系統のスピーカ線を介して複数のスピーカへとアナログ信号を送る。
【０００４】
また、ネットワーク技術の発達を背景として、デジタル伝送式の放送システムも提案されている。デジタル放送システムでは、複数のスピーカがネットワークで管理装置に接続される。ネットワークは典型的にはイーサネット（Ethernet）(登録商標）である。管理装置は、音信号をＡ／Ｄ変換機等によりデジタルデータに変換して、ネットワークへ送出する。
【０００５】
従来のアナログ放送システムは、スピーカ故障を検査するために、スピーカ配線のインピーダンスを測定する方法等が提案されている。そして、インピーダンスの変化からスピーカの故障が検出される。このような検査技術は例えば特許文献１に開示されている。
【０００６】
また、デジタル放送システムでは、ｐｉｎｇ、ｔｒａｃｅｒｏｕｔｅなどのネットワークのコマンドを利用可能である。このようなコマンドを使うことで、管理装置と各スピーカの接続を確認できる。
【特許文献１】特開平１０−０１３６４９３号公報（第４−６ページ、図１）
【発明の開示】
【発明が解決しようとする課題】
【０００７】
しかしながら、従来の故障検査方法はアナログ伝送線のスピーカ自体の負荷を含めたインピーダンスを測定することによりスピーカ故障を検査しているので、スピーカと伝送線が直接接続されないデジタル放送システムではこの故障検査方法を適用できないという問題があった。そのため、デジタル放送システムでは、一つ一つのスピーカの設置場所までスピーカを検査しに行く必要があり、作業が大変であるという問題があった。また、デジタル放送システムでｐｉｎｇ等のコマンドを使ったとしても、スピーカ側のネットワークドライバまでの接続を確認できるだけであり、スピーカ自体の断線、破損等の故障は検査できないという問題があった。
【０００８】
本発明は、従来の問題を解決するためになされたもので、その目的は、簡単な構成で容易にスピーカの故障を検査できる放送システムを提供することにある。
【課題を解決するための手段】
【０００９】
本発明の放送システムは、複数のスピーカと、前記複数のスピーカに音信号を出力させる管理装置と、前記複数のスピーカの各々がスピーカ動作またはマイク動作を行うように各スピーカの動作モードを切り替える切替手段と、前記複数のスピーカのうちの検査対象のスピーカにスピーカ動作を行わせるとともに、前記検査対象のスピーカの近傍の判定用のスピーカにマイク動作を行わせるように前記切替手段を制御する切替制御手段と、前記検査対象のスピーカがスピーカ動作によって音を出力したときに前記判定用のスピーカがマイク動作によって生成する音信号に基づき、前記検査対象のスピーカが故障しているかどうかを判定する故障判定手段とを備えている。
【００１０】
この構成により、検査対象のスピーカがスピーカ動作によって音を出力したときに、近傍の判定用のスピーカがマイク動作によって音信号を生成する。そして、生成された音信号に基づいて、検査対象のスピーカが検査される。このようにして、検査対象のスピーカの近傍にあるスピーカにマイク動作を行わせることで検査対象のスピーカを検査でき、したがって、簡単な構成で容易にスピーカの故障を検査できる。上記構成により、デジタル伝送の放送システムでもスピーカの故障を検査することができる。ただし、本発明は、アナログ伝送の放送システムにも適用されてよい。
【００１１】
本発明において、前記複数のスピーカと前記管理装置は双方向通信手段で接続されており、前記故障判定手段は、前記管理装置に備えられており、マイク動作を行った前記判定用のスピーカから前記管理装置に送られてきた音信号に基づいて前記検査対象のスピーカが故障しているかどうかを判定する。この構成により、双方向通信手段を備えた放送システムにて、スピーカの故障を好適に検査できる。
【００１２】
また、本発明において、前記複数のスピーカと前記管理装置は双方向通信手段で接続されており、前記故障判定手段は、前記スピーカ側に備えられており、前記故障判定手段による判定結果のデータが前記双方向通信手段により前記管理装置へ送信される。この構成によっても、双方向通信手段を備えた放送システムにて、スピーカの故障を好適に検査できる。
【００１３】
また、本発明の放送システムは、前記複数のスピーカのうちの各スピーカが検査対象になったときに判定用として使用する１または複数のスピーカを記憶する判定用スピーカ記憶手段を備え、前記切替制御手段は、前記判定用スピーカ記憶手段に記憶された情報に従って前記切替手段を制御する。この構成により、検査対象のスピーカが指定されたときに、判定用のスピーカが確実に特定され、スピーカの検査が適切に行われる。
【００１４】
また、本発明において、前記判定用スピーカ記憶手段は、さらに、判定用のスピーカと対応付けて判定音量を記憶しており、前記故障判定手段は、前記判定用のスピーカが生成した音信号の音量と前記判定音量を比較する。この構成により、検査対象のスピーカと判定用のスピーカの設置状況に応じた適切な判定音量を用いてスピーカの故障を検査できる。
【００１５】
また、本発明の別態様の放送システムは、音を出力する音出力ユニットと、前記音出力手段の近傍に配置されており音信号を生成する音入力ユニットと、前記音出力ユニットおよび前記音入力ユニットと接続された管理装置と、前記音出力ユニットがスピーカ動作によって音を出力したときに前記音入力ユニットがマイク動作によって生成する音信号に基づき、前記音出力ユニットが故障しているかどうかを判定する故障判定手段とを備えている。この構成によっても、簡単な構成で容易にスピーカの故障を検査できる。なお、本態様では、音入力ユニットは、スピーカがマイク動作を行うことで実現されてもよい。また、音入力ユニットは、マイクによって実現されてもよい。
【００１６】
また、本発明の別態様は、複数のスピーカが管理装置に接続された放送システムにおけるスピーカ故障検査方法である。この方法は、前記複数のスピーカのうちの検査対象のスピーカにスピーカ動作を行わせるとともに、前記検査対象のスピーカの近傍の判定用のスピーカにマイク動作を行わせ、前記検査対象のスピーカがスピーカ動作によって音を出力したときに前記判定用のスピーカがマイク動作によって生成する音信号に基づき、前記検査対象のスピーカが故障しているかどうかを判定する。この方法によっても、簡単な構成で容易にスピーカの故障を検査できる。
【発明の効果】
【００１７】
本発明は、検査対象のスピーカがスピーカ動作によって音を出力したときに、近傍の判定用のスピーカがマイク動作によって音信号に基づいて検査対象のスピーカが故障しているかどうかを判定する構成を設けることにより、簡単な構成で容易にスピーカの故障を検査できるという効果を有する放送システムを提供することができる。
【発明を実施するための最良の形態】
【００１８】
以下、本発明の実施の形態の放送システムについて、図面を用いて説明する。
【００１９】
本発明の実施の形態の放送システムを図１に示す。図１において、放送システム１は、管理装置３と、複数のスピーカ５０１、５０２、５０３を有している。管理装置３は管理センタに設置されている。一方、複数のスピーカ５０１、５０２、５０３は一つのフロアに隣接して配置されているとする。スピーカは天井等に設置されている。
【００２０】
管理装置３は、複数のスピーカ５０１、５０２、５０３とネットワーク７を介して接続されている。ネットワーク７は双方向通信可能である。音声はデジタル電送によって管理装置３からスピーカ５０１、５０２、５０３に送られる。
【００２１】
ネットワーク７は本実施の形態ではイーサネット等の双方向通信可能なデジタル伝送回線を使用する。また、本実施の形態では構内等に限定された局所的なネットワークを想定いている。しかし、ルーター等によりインターネット等の広域伝送網に接続し、遠隔地との接続を行うことも（原理的には）可能である。
【００２２】
次に、本実施の形態によるスピーカ故障の原理を説明する。本実施の形態は、下記の２つの点を利用してスピーカ故障を検出する。
【００２３】
第１点としては、電磁誘導の原理に基づくと、スピーカは、通常のスピーカとして使用する他に、マイクとして使用することもできる。すなわち、スピーカにおいて電圧値を変化させると磁石が動き、スピーカから音が発生する。これに対して、スピーカに入った音に応じて磁石が動けば、コイルに電流が誘導され、電圧が変化する。このとき、スピーカがマイク動作を行い、音の電気信号が生成される。このように、スピーカはダイナミックマイクロホンとしても使うことができる。
【００２４】
第２点としては、本実施の形態ではスピーカユニット５と管理装置３が、双方向通信可能なネットワーク、具体的にはイーサネットで接続されている。したがって、新たな線を引くことなく、既存の配線で、スピーカ側から管理装置３に信号を送出できる。
【００２５】
本実施の形態の放送システム１は、上記の２点を利用し、スピーカそのものをマイクとして利用して、スピーカ故障を検出する。
【００２６】
図１において、中央のスピーカ５０２が検査対象（試験対象）であるとする。このとき、両側の近傍のスピーカ５０１、５０２を判定用のスピーカとする。そして、検査対象のスピーカ５０２に通常通りにスピーカ動作を行わせるとともに、判定用のスピーカ５０１、５０３にマイク動作を行わせる。これにより、検査対象のスピーカ５０２が音を出したときに、判定用のスピーカユニット５０１、５０３により音信号が生成される。生成された音信号が、双方向通信機能を活用してスピーカ５０１、５０３から管理センタ３に送られる。管理センタ３では、音信号に基づいて、検査対象のスピーカ５０２が故障しているか否かを判定する。音信号から求まる音量が所定値以上であれば、スピーカ５０２が故障していないと判定される。逆に、マイク動作による検出音量が所定値より小さければ、スピーカ５０２が故障していると判定される。
【００２７】
上記のようにして、本実施の形態では、隣接するスピーカを使ってスピーカ故障を検査できる。検査のためのマイクなどを設置したり、新たな配線を設置することなく、スピーカ故障を検知できる。
【００２８】
なお、上記の例では両側のスピーカ５０１、５０３が使われたが、片方のスピーカが使用されてもよい（下記の例でも一つのスピーカが判定に使われる）。
【００２９】
以上に故障検査技術の概要を説明した。次に、上記の故障検査を行うための放送システム１の構成をより詳細に説明していく。下記の例では、放送システムが、複数のフロアを有する建物に設置されている。
【００３０】
本実施の形態の放送システムの全体構成を図２に示す。図２において、放送システム１は、管理装置３および複数のスピーカユニット５で構成されている。スピーカユニット５は、図１のスピーカ５０１、５０２、５０３と対応する。
【００３１】
管理装置３は、ネットワークの分配装置７と共に管理センタに設置されている。また、各フロアにも分配装置９が設置され、各分配装置９に複数のスピーカユニット５が接続されている。そして、これら分配装置９が接続されて、双方向通信のネットワーク７が形成されている。ネットワーク７は、本実施の形態では前述のようにイーサネット等のデジタル伝送路である。
【００３２】
図２の放送システム１では、ネットワーク７を介してデジタル伝送（ＩＰ伝送）が行われる。音声のデジタルデータは、管理装置３からネットワーク経由でスピーカユニット５に送られる。音声データには、送信先のスピーカユニット５のアドレスが付与される。例えば、第１フロア（１階）に放送を流したいときは、第１フロアの複数のスピーカユニット５に向けて音声データが送信される。このようなシステムでは、送信先を自由に変更できるので、放送を流すスピーカも自由に設定できる。したがって、どのエリアに同じ放送を流すかといった放送系統の変更も容易である。
【００３３】
図３は、管理装置３の構成を示している。管理装置３は、放送出力のための構成として、音源１１、ＡＤ変換部１３、音声圧縮部１５、およびバッファ１７を備えている。音源１１はアナログ音声信号を供給し、ＡＤ変換部１３はアナログ音声信号をデジタルデータに変換する。音声圧縮部１５は音声データを圧縮する（ただし、ネットワーク７の通信容量に余裕がある場合、本システムの全体（または一部）において、音声圧縮部および音声伸長部は不要であり、音声圧縮および伸長の処理も不要である）。バッファ１７は、圧縮された音声データを蓄積し、送信用のパケットを生成し、送受信部１９に供給する。送受信部１９は、ＬＡＮインターフェースであり、本実施の形態ではイーサネットのドライバである。そして、放送出力の際には、送受信部１９が音声送出手段として機能する。送受信部１９は、一定量のデータにＩＰヘッダ（送信先アドレス、受信先アドレス等）を付与して、イーサネットへ出力する。受信先アドレスとしてはマルチキャスト等を指定することもできる。パケットデータは、送受信部１９から分配装置９を介して送信先のスピーカユニット５に送られる。
【００３４】
ここで、図３では、説明を簡潔にするために、１つの音源と１つの処理系統のみが示されている。しかし、実際の放送システム１では管理装置３が図４のような構成を備え、複数の音源を扱い、また、複数系統に別々の放送を流せることが好適である。図４では、第１音源１００１から第ｎ音源１００ｎが設けられている。各音源は、マイク、ＣＤプレーヤ、有線放送などである。各音源の音声信号は音声マトリクススイッチ１００３に入力される。音声マトリクススイッチ１００３と送受信部１０１１の間には、複数の音声処理系統が配置されており、各系統は、ＡＤ変換部１００５、音声圧縮部１００７およびバッファ１００９で構成される。各音源の信号は、音声マトリクススイッチ１００３を経て、ＡＤ変換部１００５、音声圧縮部１００７およびバッファ１００９の処理を受けて、送受信部１０１１からネットーワークへ送出される。
【００３５】
また、音源の音声信号は、音声マトリクススイッチ１００３から増幅器１０１３を経てモニタスピーカ１０１５にも供給される。そして、モニタスピーカ１０１５からモニタ音声が出力される。
【００３６】
図３の説明に戻り、管理装置３は、上記の放送出力のための構成に加えて、検査部２１を備えている。検査部２１は、スピーカ故障の検査を行うための構成である。なお、検査部２１は、ＣＰＵ等を有するコンピュータに備えられていてもよい。また、検査部２１は、送受信部１９およびその先のネットワークを介して、各々のスピーカユニット５と通信を行うことができる。検査部２１は、管理装置３および放送システム１の全体を制御するコンピュータに備えられてもよい。検査部２１は、このような機能を利用してスピーカ故障の有無を検査する。検査部２１については後に詳細に説明する。
【００３７】
図５は、各スピーカユニット５の構成を示している。スピーカユニット５は、スピーカ要素４１と、ネットワーク接続のための送受信部４３とを備えている。送受信部４３は、管理装置３の送受信部と同じく、ＬＡＮインターフェースである。
【００３８】
スピーカユニット５は、さらに、スピーカ要素４１にスピーカ動作を行わせるための構成として、バッファ４５、音声伸長部４７、ＤＡ変換部４９および増幅器５１を備えている。バッファ４５は、ネットワークからパケット単位で送られてくるデジタル音声データを一時的に蓄積し、音声伸長部４７が連続的に動作できるようにする。音声伸長部４７は、圧縮データを伸長する処理を行う。ＤＡ変換部４９はデジタルデータをアナログ音声信号に変換する。増幅器５１はアナログ音声信号を増幅する。増幅された信号がスピーカ要素４１に供給され、スピーカ要素４１がスピーカ動作を行い、音声が発せられる。
【００３９】
また、スピーカユニット５は、スピーカ要素４１にマイク動作を行わせるための構成として、ヘッドアンプ５３、ＡＤ変換部５５、音声圧縮部５７およびバッファ５９を備えている。ヘッドアンプ５３は、スピーカ要素４１がマイク動作によって生成する音声信号を増幅する。ＡＤ変換部５５はアナログ音声信号をデジタルデータに変換する。音声圧縮部４７は音声データを圧縮する。バッファ４９は、圧縮された音声データを蓄積し、送信用のパケットを生成し、送受信部４３に供給する。送受信部４９は、パケットデータに管理装置３のアドレスを付与して、データをネットワークに送出する。
【００４０】
増幅器５１およびヘッドアンプ５３は、スイッチ６１を介してスピーカ要素４１に接続されている。そして、スイッチ６１は、コマンド解釈実行部６３により切り替えられる。コマンド解釈実行部６３は、送受信部４３を介して管理装置３から受け取ったコマンドを解釈および実行する。このような構成により、スピーカユニット５の動作モードが、スピーカ動作とマイク動作の間で切り替えられる。
【００４１】
次に、図６は、管理装置３に設けられた検査部２１の構成を示している。検査部２１は、入力受付部２３、切替制御部２５、判定用スピーカ記憶部２７および検査放送指示部２９を有しており、これらにより検査部２１は故障検査時の放送システム１の動作を制御する。
【００４２】
入力受付部２３は、キーボード等の入力装置に対するユーザの入力を受け付ける構成であり、検査部２１に対する各種の指示を受け付ける。そして、入力受付部２３は、検査対象のスピーカユニット５の指定を受け付ける。
【００４３】
切替制御部２５は、各スピーカユニットに、スピーカ動作とマイク動作の切り替えのコマンドを送って、各スピーカユニットの動作モードの切替構成を制御する。そして、切替制御部２５は、入力受付部２３で受け付けられた検査対象のスピーカユニットにスピーカ動作を行わせると共に、検査対象のスピーカユニットの近傍にある判定用のスピーカユニットにマイク動作を行わせる。切替制御部２５は、判定用スピーカ記憶部２７に記憶された情報を参照して上記の切替制御を行う。
【００４４】
図７は、判定用スピーカ記憶部２７に記憶された情報を示している。判定用スピーカ記憶部２７は、検査対象のスピーカユニットと判定用のスピーカユニットを対応づけるテーブルを記憶している。検査対象の近傍のスピーカユニットが、予め手動または自動により下記の如く判定用スピーカユニットとして設定されている。手動の場合、システム設置後に「スピーカｎ検査時はスピーカｘとｙを判定用に使う」といった情報を入力させる。自動の場合、工事図面等、スピーカ相互間の距離が分かるようなデータが入力されているものとし、そのデータから検査対象から最も近距離にあるスピーカ数個を選び出して判定用とする。
【００４５】
入力受付部２３が、検査対象のスピーカユニットの指定を受け付けると、切替制御部２５は、検査対象のスピーカユニットに対応する判定用スピーカユニットを判定用スピーカ記憶部２７のテーブルから読みとる。そして、切替制御部２５は、検査対象のスピーカユニットへ、スピーカ動作を指示するコマンドを送るとともに、判定用のスピーカユニットへ、マイク動作を指示するコマンドを送る。このコマンドは、送受信部１９からネットワークを介して送信先のスピーカユニットに送られる。送受信部１９では送信先のスピーカユニットのアドレスがデータに付与される。
【００４６】
図７に示されるように、判定用スピーカ記憶部２７は、さらに、判定用のスピーカユニット５と対応づけて、閾値である判定音量を記憶している。判定音量のデータは、後述するように、判定用のスピーカユニット５により得られた音信号に基づいて故障判定を行うときに用いられる。
【００４７】
また、図６において、検査放送指示部２９は、音源１１を制御し、検査用の音声信号を出力させる。検査用の音声は予め決められている。検査用の音声信号は、ＡＤ変換部１３、音声圧縮部１５、バッファ１７での処理を経て音声のデジタルデータとなり、送受信部１９に供給される。検査放送指示部２９は、入力受付部２３により受け付けられた検査対象のスピーカユニットへと検査用の音声データを送信させる処理を行う。音声データには、検査対象のスピーカユニットのアドレスが付与される。
【００４８】
図６に示すように、検査部２１は、さらに、バッファ３１、音声伸長部３３、ＤＡ変換部３５、故障判定部３７および出力部３９を有しており、これら構成により、判定用のスピーカユニット５から送られてきた音声データに基づいて故障判定を行う。
【００４９】
バッファ３１は、送受信部１９を介して、判定用のスピーカユニット５から送られてきた音声のパケットデータを受け取る。バッファ３１は、ネットワークからパケット単位で送られてくるデジタル音声データを一時的に蓄積し、音声伸長部３３が連続的に動作できるようにする。音声伸長部３３は、圧縮データを伸長する処理を行う。ＤＡ変換部３５はデジタルデータをアナログ音声信号に変換する。故障判定部３７は、音声信号に基づいて、検査対象のスピーカユニット５が故障しているか否かを判定する。出力部３９は、判定結果を出力する。出力部３９は、例えば、ディスプレイのような表示装置である。
【００５０】
故障判定部３７は、判定用のスピーカユニッ５トが生成した音信号の音量を、判定用スピーカ記憶部２７に記憶された判定音量と比較する。そして、故障判定部３７は、取得した音信号の音量（すなわちマイク動作による検出音量）が判定音量以上であれば、検査対象のスピーカユニット５が故障していないと判断する。逆に検出音量が判定音量より小さければ、故障判定部３７は、検査対象のスピーカユニット５が故障していると判断する。なお、故障判定部３７は検査部２１が有する構成としたが、検査時のみ接続するノートパソコンなどを利用することも可能である。
【００５１】
ここで、近傍にある２つのスピーカユニット５の一方がスピーカ動作により音を発し、他方がマイク動作により音信号を生成したとする。生成される音信号の音量は、スピーカの位置関係、設置場所の構造などによって異なる。そこで、本実施の形態では、検査対象と判定用のスピーカユニットの組合せごとに、適切な判定音量が設定され、判定用スピーカ記憶部２７に記憶されている。ただし、本発明の範囲内で、判定音量が一定であってもよい。
【００５２】
以上に、放送システム１の各部構成とその機能について説明した。次に、放送システム１の故障検査の動作を説明する。
【００５３】
故障検査では、まず、管理装置３において、検査部２１の入力受付部２３が、検査対象のスピーカユニット５の指定を受け付ける。そして、切替制御部２５が、検査対象のスピーカユニット５に対応する判定用のスピーカユニット５を判定用スピーカ記憶部２７のテーブルから読みとる。そして、切替制御部２５は、検査対象のスピーカユニット５へ、スピーカ動作を指示するコマンドを送るとともに、判定用のスピーカユニット５へ、マイク動作を指示するコマンドを送る。これらのコマンドは、送受信部１９に供給され、送信先のスピーカユニット５のアドレスを付与される。そして、これらコマンドは送受信部１９からネットワークを介して送信先のスピーカユニット５に送られる。
【００５４】
検査対象のスピーカユニット５では、送受信部１９が、スピーカ動作のコマンドを受信する。そして、コマンド解釈実行部６３がコマンドを解釈および実行する。コマンド解釈実行部６３はスイッチ６１を切り替えて、増幅器５１をスピーカ要素４１と接続する。また、判定用のスピーカユニット５では、送受信部１９が、マイク動作のコマンドを受信し、そして、コマンド解釈実行部６３がコマンドを解釈および実行する。コマンド解釈実行部６３はスイッチ６１を切り替えて、ヘッドアンプ５３をスピーカ要素４１と接続する。
【００５５】
なお、放送システム１では、通常の動作時（故障検査時ではなく通常の放送出力動作時）は、全部のスピーカユニット５が、スピーカ動作を行うように制御されており、すなわち、スピーカ要素４１が元々増幅器５１と接続されている。この場合、検査対象のスピーカユニット５には、スピーカ動作のコマンドが送られなくてよい。検査対象のスピーカユニット５では、上記のスピーカ動作モードのスイッチ接続が維持されればよい。
【００５６】
次に、上記のようにしてスピーカの動作モードが切り替えられた後、管理装置３では、検査部２１の検査放送指示部２９が、音源１１を制御し、検査用の音声信号を出力させる。検査用の音声は予め決められている。このアナログ音声信号は、ＡＤ変換部１３でデジタルデータに変換され、音声圧縮部１５で圧縮される。圧縮データがバッファ１７に蓄積され、送信用のパケットが生成される。検査放送指示部２９の指示に従い、送受信部１９では、パケットデータに検査対象のスピーカユニットのアドレスが付与される。そして、パケットデータがネットワーク７に送出される。
【００５７】
検査対象のスピーカユニット５では、送受信部１９が音声データを受信してバッファ４５に供給する。バッファ４５は、ネットワークからパケット単位で送られてくるデジタル音声データを一時的に蓄積し、音声伸長部４７が連続的に動作できるようにする。そして、音声伸長部４７によりデータが伸長され、ＤＡ変換部４９にてデジタルデータがアナログ音声信号に変換される。さらに、アナログ音声信号が増幅器５１で増幅され、スピーカ要素４１に供給され、スピーカ要素４１がスピーカ動作を行い、音声が発せられる。
【００５８】
判定用のスピーカユニット５では、スピーカ要素４１がマイク動作を行い、検査対象のスピーカユニット５が発した音を取り込んで、音声の電気信号を生成する。この音声信号がヘッドアンプ５３で増幅され、ＡＤ変換部５５でデジタルデータに変換される。音声データは音声圧縮部５７で圧縮され、バッファ５９に蓄積される。バッファ５９で音声のパケットデータが生成され、送受信部４３でパケットデータに管理装置３のアドレスが付与される。そして、パケットデータは送受信部４３からネットワーク７に送出される。
【００５９】
管理装置３では、送受信部１９が、判定用のスピーカユニット５から送られてくる音声のパケットデータを受信する。このパケットデータがバッファ３１に供給されて、バッファ３１が、ネットワークからパケット単位で送られてくるデジタル音声データを一時的に蓄積し、音声伸長部３３が連続的に動作できるようにする。そして、音声伸長部３３にてデータが伸長され、ＤＡ変換部３５にてデジタルデータがアナログ音声信号に変換される。こうして得られた音声信号が故障判定部３７にて処理される。
【００６０】
故障判定部３７は、判定用スピーカ記憶部２７から、検査対象および判定用のスピーカユニット５の組合せに対応する判定音量を読み出す。故障判定部３７は、取得した音信号の音量（すなわちマイク動作による検出音量）を、読み出した判定音量と比較する。そして、故障判定部３７は、検出音量が判定音量以上であれば、検査対象のスピーカユニットが故障していないと判断する。逆に検出音量が判定音量より小さければ、故障判定部３７は、検査対象のスピーカユニットが故障していると判断する。判定結果は出力部３９から出力される。出力部３９が表示装置の場合は、判定結果が表示される。
【００６１】
一つのスピーカユニット５の検査が終わると、次のスピーカユニット５が検査される。すなわち、次の検査対象のスピーカユニット５が指定されると、対応する判定用のスピーカユニット５が判定用スピーカ記憶部２７から求められる。そして、これらスピーカユニット５の組合せを使って、スピーカ故障が検査される。このようにして、複数のスピーカユニット５が順次検査される。なお、上記の実施の形態の変形例として、検査対象のスピーカユニット５が検査部２１により自動的に順次指定されてもよい。
【００６２】
以上に本実施の形態の放送システム１について説明した。上述のように、放送システム１は、検査対象のスピーカがスピーカ動作によって音を出力したときに、近傍の判定用のスピーカにマイク動作によって音信号を生成させ、生成された音信号に基づいて、検査対象のスピーカが故障したか否かを判定する。検査対象のスピーカの近傍にあるスピーカにマイク動作を行わせることで、検査対象のスピーカを検査できる。したがって、簡単な構成で容易にスピーカの故障を検査できる。上記構成により、デジタル伝送の放送システムでもスピーカの故障を検査することができる。
【００６３】
また、上記の放送システム１は、検査対象のスピーカと判定用のスピーカを対応づける情報を記憶する判定用スピーカ記憶部を備えており、これにより、検査対象のスピーカが指定されたときに判定用のスピーカにマイク動作を行わせる動作モードの切替制御を行うことができ、スピーカの検査が適切に行われる。
【００６４】
また、上記の放送システム１では、判定用スピーカ記憶部が判定用のスピーカと対応付けて判定音量を記憶しており、これにより、検査対象のスピーカと判定用のスピーカの設置状況に応じた適切な判定音量を用いてスピーカの故障を検査できる。
【００６５】
なお、本実施の形態では、１つのフロアで１度に１つのスピーカが好適に検査される。しかし、複数のスピーカが同時に検査されてもよい。例えば、複数のスピーカが一列に並んでいるとする。このとき、１つおきのスピーカが検査される。残りの１つおきのスピーカが判定に用いられる。この場合、１つのスピーカが故障していたとすると、両側のスピーカがマイク動作により得る音量が小さくなる。例えば、ｎ個目のスピーカが故障すれば、ｎ−１個目とｎ＋１個目のスピーカがマイク動作で小さい音量を検出する。これら２つの判定用のスピーカが小さい音量を検出すると、故障判定部は、それらの間のスピーカが故障していると判定する。
【００６６】
以下、本発明のその他の実施の形態について説明する。なお、上述の実施の形態と重複する事項の説明は省略する。
【００６７】
図８および図９は、別の実施の形態におけるスピーカユニットと検査部の構成を示している。本実施の形態では、故障判定部がスピーカ側に設けられている。すなわち、図８において、スピーカユニット７１は、マイク動作により得られる音声信号を処理するために、ヘッドアンプ７３、故障判定部７５およびコマンド生成部７７を有している。スピーカユニット７１が判定用に用いられるとき、スイッチ６１がヘッドアンプ７３をスピーカ要素４１と接続する。ヘッドアンプ７３は、スピーカ要素４１がマイク動作により生成した音信号を増幅する。故障判定部７５は、判定音量記憶部７９に記憶された判定音量を、マイク動作で検出された音信号の音量と比較する。そして、故障判定部７５は、検出音量が判定音量以上であれば、故障が発生していないと判定する。また、故障判定部７５は、検出音量が判定音量未満であれば、故障が発生していると判定する。故障判定部７５は、判定結果（ＯＫ、ＮＧ）を示す２値の信号を生成し、コマンド生成部７７に供給する。コマンド生成部７７は、判定結果を示すコマンドデータを生成する。このコマンドデータに、送受信部４３にて管理装置３のアドレスが付与され、コマンドデータがネットワークに送出される。
【００６８】
図９の検査部８１は、判定結果取得部８３を備えている。判定結果のコマンドは、送受信部１９に受信されて判定結果取得部８３に取得される。そして、判定結果は出力部３９から出力される。
【００６９】
以上のように、本実施の形態では、スピーカ側で故障判定が行われる。本実施の形態によっても、上述の実施の形態と同様に、簡単な構成で容易にスピーカの故障を検査できる。そして、上記構成により、デジタル伝送の放送システムでもスピーカの故障を検査することができる。また、本実施の形態では、スピーカ側で音声をデジタル化しなくてもよく、これにより構成が簡単になる。ただしアナログ伝送の放送システムで同様の故障を検査するためには、（Ａ）接点情報（ＯＫならばメーク、ＮＧならばブレーク等）を別回線で検査部に送る、（Ｂ）スピーカユニット側にＬＥＤ等で作られた出力部を設け、判定結果ＯＫ／ＮＧをこの出力部の内容で判定する等を行えばよい。
【００７０】
図１０は、別の実施の形態における放送システムを示している。この例では、本発明がアナログ伝送システムに適用される。図１０の放送システム９１において、スピーカ線９２はアナログ伝送用の配線であり、一方向通信に使われる。スピーカ線９２は増幅器９３に接続されている。また、モニタライン９４も、一方向通信のアナログ伝送用の配線である。そして、モニタライン９４は検査部９５に接続されている。
【００７１】
スピーカ９６、９７、９８は一つのフロアに隣接して設置されている。そして、スピーカ９６は、スイッチ１０１を介してスピーカ線９２およびモニタライン９４に接続されている。同様に、スピーカ９７、スピーカ９８も、スイッチ１０２、スイッチ１０３を介して、スピーカ線９２およびモニターライン９４に接続されている。
【００７２】
また、制御ライン１０４が検査部９５からスイッチ１０１、１０２、１０３に延びており、これにより、検査部９５は、各スイッチを個別に制御する。そして、スイッチ動作により、各スピーカは、スピーカ線９２とモニターライン９４の一方に接続される。各スピーカは、スピーカ線９２に接続されると、スピーカ動作を行い、増幅器９３から供給される音を出力する。また、各スピーカは、モニターライン９４に接続されると、マイク動作を行い、マイク動作によって得たアナログ音声信号をモニターライン９４に送出する。
【００７３】
次に、故障検査について説明する。ここでは、中央のスピーカ９７が検査対象であるとする。このとき、検査部９５は、スイッチ１０２を制御して、スピーカ９７をスピーカ線９２と接続する。また、検査部９５は、スピーカ９６、９８を判定に用いるため、スイッチ１０１、１０３を制御してスピーカ９６、９８をモニタライン９４に接続する。
【００７４】
これにより、検査用の音声信号が、増幅器９３から、検査対象のスピーカ９７にアナログ伝送され、スピーカ９７から音声信号が出力される。スピーカ９６、９８はマイク動作により音声信号を生成する。この音声信号は、モニタライン９４を通って検査部９５にアナログ伝送で送られる。検査部９５は、判定用のスピーカ９６、９８から得た音声信号の音量に基づき、スピーカ９７の故障を判定する。予め設定された判定音量よりも検出音量が小さければ、検査部９５は、スピーカ９７が故障していると判定する。
【００７５】
このように、アナログ伝送のシステムでも、上りの回線（モニタライン９４）を新たに設置すれば、スピーカをマイクとして使うことができ、故障検査が可能である。
【００７６】
図１１は、さらに別の実施の形態における放送システムを示している。この例でも本発明がアナログ伝送に適用される。図１１では、１つのフロアに２系統のスピーカ線１１１、１１２が備えられる。そして、隣り合うスピーカ１１３は異なるスピーカ線に接続されている。図の例では、奇数個目のスピーカ１１３がスピーカ線１１１に接続され、偶数個目のスピーカ１１３がスピーカ線１１２に接続されている。スピーカ線１１１、１１２は、スイッチ部１１４を介して増幅器１１５および検査部１１６に接続されている。
【００７７】
故障検査では、奇数個目のスピーカ１１３を検査するときは、スピーカ線１１１が増幅器１１５と接続され、スピーカ線１１２が検査部１１６に接続される。これにより、検査対象のスピーカ１１３から音声が発せられる。そして、残りの判定用のスピーカ１１３がマイク動作により音声信号を生成し、検査部１１６に供給する。検査部１１６は、取得された音声信号の音量に基づいて故障の有無を判定する。このように、図１１の構成によっても、アナログ伝送にてスピーカ故障を検査できる。
【００７８】
図１２はさらに別の実施の形態を示している。この実施の形態は、フロアに設置されたマイクを活用する。マイクは、例えば、隠しマイクを置きたいといった要求に応えて設置された既存のマイクである。
【００７９】
図１２は、１つのフロアの構成の一部を示している。分配装置５は、スピーカユニット１２１およびマイクユニット１３１と接続されている。スピーカユニット１２１は、送受信部１２２、バッファ１２３、音声伸長部１２４、ＤＡ変換部１２５、増幅器１２６およびスピーカ要素１２７を備えている。スピーカユニット１２１は、専らスピーカ動作を行い、管理装置３から送られてくる音声データを処理して音を発する。マイクユニット１３１はスピーカユニット１２１の近傍に設けられている。マイクユニット１３１は、マイク要素１３２、ヘッドアンプ１３３、ＡＤ変換部１３４、音声圧縮部１３５、バッファ１３６および送受信部１３７を備えている。マイクユニット１３１は、専らマイク動作を行い、マイク要素１３２に入力された音声信号を処理して音声データを管理装置３へ送る。管理装置３では、検査部が、スピーカユニット１２１に検査用の音声を出させる。そして、検査部は、マイクユニット１３１から送られてくる音声データを処理し、取得した音量を記憶された判定音量と比較して、スピーカユニット１２１が故障しているか否かを判定する。
【００８０】
本実施の形態では、スピーカユニット１２１が音出力ユニットであり、マイクユニット１３１が音入力ユニットである。そして、音入力ユニットが生成する音信号に基づいて、音出力ユニットの故障が判定される。この構成よっても、簡単な構成で容易にスピーカの故障を検査できる。
【００８１】
図１３はさらに別の実施の形態を示している。この実施の形態では、マイクが活用され、かつ、アナログ伝送が行われる。
【００８２】
図１３において、スピーカ１４１はスピーカ線１４２を介して増幅器１４３に接続されている。また、マイク１４４は、ヘッドアンプ１４５を介し、モニタライン１４６を介して検査部１４７に接続されている。スピーカ１４１は、増幅器１４３から供給される検査用の音声を発する。そして、マイク１４４から音声信号が検査部１４７に送られ、検査部１４７は、取得した音声信号の音量に基づき、スピーカ１４１が故障しているか否かを判定する。
【００８３】
本実施の形態では、スピーカ１４１が音出力ユニットであり、マイク１４４が音入力ユニットである。この構成よっても、簡単な構成で容易にスピーカの故障を検査できる。
【００８４】
図１４は、さらに別の変形例を示している。図１４では、予め、スピーカが２個ずつ組になっている。すなわち、図１４の放送システムはスピーカ組１５１を備えている。スピーカ組１５１はスピーカ１５２、１５３で構成されており、スピーカ１５２、１５３は隣接して配置されている。図１４の放送システムは、好ましくは、前述したようにネットワークで接続されたデジタル伝送システムである。ただし、アナログ伝送システムでも図１４の放送システムを実現可能である。
【００８５】
正常時は、スピーカ１５２がスピーカ動作を行い、スピーカ１５３がマイク動作を行うように、スピーカの機能が検査部により制御される。これにより、スピーカ１５２の発する音が、スピーカ１５３を用いて検出される。この場合、スピーカ１５２が検査対象であり、スピーカ１５３が判定に用いられる。
【００８６】
スピーカ１５２が故障して、スピーカ１５３への入力が途絶するか音量が小さくなって所定の閾値を下回ると、スピーカ１５２の異常が、出力部である表示装置に表示される。また、スピーカ１５３の動作モードが、マイク動作からスピーカ動作に切り替えられる。このようにして、本実施の形態では、スピーカ故障を自動的に検知し、自動復旧を行うことができる。
【００８７】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００８８】
以上のように、本発明にかかる放送システムは、簡単な構成で容易にスピーカの故障を検査できるという効果を有し、建物内の放送システム等として有用である。
【図面の簡単な説明】
【００８９】
【図１】本発明の実施の形態における放送システムを示す図
【図２】放送システムの全体構成を示す図
【図３】管理装置の構成を示す図
【図４】管理装置の構成を示す図
【図５】スピーカユニットの構成を示す図
【図６】検査部の構成を示す図
【図７】判定用スピーカユニットに記憶されたテーブルを示す図
【図８】別の実施の形態におけるスピーカユニットの構成を示す図
【図９】別の実施の形態における検査部の構成を示す図
【図１０】アナログ伝送に関する実施の形態を示す図
【図１１】アナログ伝送に関する実施の形態を示す図
【図１２】マイクを使ってスピーカ故障を検査する実施の形態を示す図
【図１３】アナログ伝送でマイクを使ってスピーカ故障を検査する実施の形態を示す図
【図１４】スピーカ対を備え、自動復旧が可能な実施の形態を示す図
【符号の説明】
【００９０】
１  放送システム
３  管理装置
５  スピーカユニット
７  ネットワーク
１１  音源
２１  検査部
２５  切替制御部
２７  判定用スピーカ記憶部
２９  検査放送指示部
３７  故障判定部
４１  スピーカ要素
６１  スイッチ
６３  コマンド解釈実行部
５０１、５０２、５０３  スピーカ
【図１】
2006254115.tif 000003
【図２】
2006254115.tif 000004
【図３】
2006254115.tif 000005
【図４】
2006254115.tif 000006
【図５】
2006254115.tif 000007
【図６】
2006254115.tif 000008
【図７】
2006254115.tif 000009
【図８】
2006254115.tif 000010
【図９】
2006254115.tif 000011
【図１０】
2006254115.tif 000012
【図１１】
2006254115.tif 000013
【図１２】
2006254115.tif 000014
【図１３】
2006254115.tif 000015
【図１４】
2006254115.tif 000016